(57)【要約】【課題】  タッチパネル等の操作手段と音響出力のための振動板とを重ねて配置した構成の操作ユニットにおいて、操作者が振動板越しに操作スイッチを操作しても、車室内の音場を維持し、もって同乗者に違和感を与えない構成を実現すること。【解決手段】  音響出力を行う複数の薄膜振動板（９０，９１）を、タッチパネル（８）に近接して重ねて設ける。いずれかの薄膜振動板の音響振動がタッチパネル操作のために指によって止められても、それ以外の薄膜振動板の音響振動によって全体の音響出力を補償する。【選択図】  図３
2006013779.tif 000002
【特許請求の範囲】
【請求項１】
車室内前方に設置され少なくとも音響出力を行う薄膜振動板と、その薄膜振動板に近接して重ねて設けられ、操作者が触れることにより操作される操作スイッチとを備えた車両用操作ユニットであって、
前記薄膜振動板は前記車室内前方に複数設置され、同一の音響出力を実行可能に構成されることを特徴とする車両用操作ユニット。
【請求項２】
前記複数の薄膜振動板は、互いに離間されて設けられることを特徴とする請求項１に記載の車両用操作ユニット。
【請求項３】
前記複数の薄膜振動板は、互いに隣接して設けられると共に、前記操作スイッチは、前記複数の薄膜振動板のうちの一の薄膜振動板に重なる位置に設けられることを特徴とする請求項１に記載の車両用操作ユニット。
【請求項４】
前記複数の薄膜振動板の各々には、互いに異なる機能の操作スイッチが重ねて設けられることを特徴とする請求項１または２に記載の車両用操作ユニット。
【請求項５】
操作者の前記操作スイッチへの接触を検出する検出手段と、
この検出手段により前記接触が検出されたときに、前記接触が検出された薄膜振動板以外の薄膜振動板による音響出力を増大する補正を行う音響出力制御手段と、
を更に有することを特徴とする請求項１から４までのいずれかに記載の車両用操作ユニット。
【請求項６】
操作者の前記操作スイッチへの接触を検出する検出手段と、
この検出手段により前記接触が検出されたときに、その接触が検出された薄膜振動板による音響出力を抑制する音響出力制御手段と、
を更に有することを特徴とする請求項１から５までのいずれかに記載の車両用操作ユニット。
【発明の詳細な説明】
【技術分野】
【０００１】
本発明は、車両用操作ユニットに関し、特に、タッチパネル等の操作手段を有する車両用操作ユニットに関する。
【背景技術】
【０００２】
自動車の分野では、ナビゲーション装置やオーディオ装置などの操作を容易にするべく、表示画面上にタッチパネルを備えた操作ユニットの導入が進んでいる。タッチパネルは薄型化が可能であり、なおかつ、スイッチとして使用する領域の設定の自由度が大きいという利点を有している。
【０００３】
一方、取り付け場所の自由度を高めるべく透明な振動板を用いたスピーカが開発されつつある（例えば、特許文献１を参照。）。透明な振動板を使用するので、表示画面の前面をスピーカとすることも可能になる。表示画面は通常、ドライバーが視認しやすいコンソール付近に設置されるからスピーカの位置としても好適であるし、表示画像と音源が一致するというメリットもある。
【０００４】
【特許文献１】特開２００３−４００４１号公報
【発明の開示】
【発明が解決しようとする課題】
【０００５】
上記のような音響出力のための振動板を表示画面上のタッチパネルに重ねて配置した場合、操作者はこの振動板越しにタッチパネルのスイッチを操作することになる。
【０００６】
そうすると、操作者がタッチパネルのスイッチを操作する時に、振動板による音響振動が操作者の指先によって止められ、または弱められ、車室内の音場が変化してしまい、同乗者に違和感を与えるという問題が生じる。
【０００７】
そこで本発明は、タッチパネル等の操作手段と音響出力のための振動板とを重ねて配置した構成の操作ユニットにおいて、操作者が振動板越しに操作スイッチを操作しても、車室内の音場を維持し、もって同乗者に違和感を与えない構成を実現することを目的とする。
【課題を解決するための手段】
【０００８】
上記した課題は本発明の車両用操作ユニットによって解決される。本発明の一側面は、車室内前方に設置され少なくとも音響出力を行う薄膜振動板と、その薄膜振動板に近接して重ねて設けられ、操作者が触れることにより操作される操作スイッチとを備えた車両用操作ユニットに係り、前記薄膜振動板は車室内前方に複数設置され、同一の音響出力を実行可能に構成される。かかる構成によれば、複数の薄膜振動板のいずれかがスイッチの操作に伴ってその音響振動が止められあるいは弱められたとしても、それ以外の薄膜振動板による音響出力によって車室内の音場を維持することが可能である。
【０００９】
本発明の好適な実施形態によれば、前記複数の薄膜振動板は、互いに離間されて設けられることが好ましい。このため、操作スイッチの操作時に複数の薄膜振動板に同時に触れてしまうことを防止でき、音場の維持という本発明の目的をより確実に達成することができる。
【００１０】
本発明の好適な実施形態によれば、前記複数の薄膜振動板は、互いに隣接して設けられると共に、前記操作スイッチは、前記複数の薄膜振動板のうちの一の薄膜振動板に重なる位置に設けられることが好ましい。このような構成によっても、操作スイッチの操作時に複数の薄膜振動板に同時に触れてしまうことを極小化でき、音場の維持という本発明の目的をより確実に達成することができる。
【００１１】
本発明の好適な実施形態によれば、前記複数の薄膜振動板の各々には、互いに異なる機能の操作スイッチが重ねて設けられることが好ましい。このような態様によっても、操作スイッチの操作時に複数の薄膜振動板に同時に触れてしまうことを極小化でき、音場の維持という本発明の目的をより確実に達成することができる。
【００１２】
本発明の好適な実施形態によれば、操作者の前記操作スイッチへの接触を検出する検出手段と、前記検出手段により前記接触が検出されたときに、前記接触が検出された薄膜振動板以外の薄膜振動板による音響出力を増大する補正を行う音響出力制御手段とを更に有することが好ましい。かかる構成によれば、接触によりその薄膜振動板の音場の変化があったとしても、他の薄膜振動板でカバーでき、音場の変化を抑制することができる。
【００１３】
本発明の好適な実施形態によれば、操作者の前記操作スイッチへの接触を検出する検出手段と、この検出手段により前記接触が検出されたときに、その接触が検出された薄膜振動板による音響出力を抑制する音響出力制御手段とを更に有することが好ましい。接触された薄膜振動板からの音響出力はその周波数が変化されることになって音場の乱れを招くが、この構成によれば、そのような問題を回避することができる。
【発明の効果】
【００１４】
以上述べた通り、本発明によれば、タッチパネル等の操作手段と音響出力のための振動板とを重ねて配置した構成の操作ユニットにおいて、操作者が振動板越しに操作スイッチを操作しても、車室内の音場が維持され、そのため同乗者に違和感を与えないようにすることができる。
【発明を実施するための最良の形態】
【００１５】
以下、図面を参照して本発明の好適な実施形態について詳細に説明する。
【００１６】
図１は車両の室内を示しており、この図を参照して、本発明の実施形態に係る操作ユニットの取り付けの一態様を説明する。図示の例では、フロントダッシュボード内にナビゲーションユニット１、ＴＶ／ＦＭ／ＡＭチューナ（以下「チューナ」という。）２、ＣＤ／ＭＤプレーヤ（以下「プレーヤ」という。）３が収納されている一方、操作ユニット本体５がフロントダッシュボード上に取り付けられている。もちろん、この操作ユニット本体５もフロントダッシュボード内に収納されていてもよい。要は乗員が操作しやすいように、少なくとも車両前方に設置されていればよい。
【００１７】
図２は、本実施形態における操作ユニット本体５の構造例を示す断面図である。操作ユニット本体５は、ナビゲーションユニット１等からの情報に基づき画像を表示する表示部を含み、この表示部上でタッチパネルの機能を実現する。同図中、７が表示部である液晶ディスプレイ（ＬＣＤ）、８が操作手段の一例としてのタッチパネルである。
【００１８】
なお、ＬＣＤは表示部の典型例にすぎず、このほか、ＰＤＰ（Plasma Display Panel）や、ＥＬ（Electro Luminescence）パネル、ＦＥＤ（Field Emission Display）パネルなどで表示部を構成してもよい。
【００１９】
また、タッチパネルの方式としては、抵抗膜方式（感圧式）をはじめ、超音波方式、光電方式、静電容量方式などがあるが、本実施形態ではタッチパネル８として、比較的安価で簡単な構成で実現できる抵抗膜方式を採用した。したがってこのタッチパネル８は、抵抗膜が形成された２枚の透明シート８ａ、８ｂを有し、この２枚のシート８ａ、８ｂは抵抗膜が形成された面が向かい合うように配置される。シート８ｂの他方の面はＬＣＤ７を保護するためのガラス基板８ａに貼り合わされている。ここで、２枚のシート８ａと８ｂとの間には絶縁スペーサが介在し、指先等で押圧されていない時には両者は接触せず、押圧されると両者が接触するように構成されている。
【００２０】
さらに、この操作ユニット本体５には、上下２枚の薄膜振動板９０および９１がタッチパネル８に近接して重ねるようにして設けられている。この薄膜振動板９０および９１は同様に構成されるもので、代表的に第１の薄膜振動板９０について説明すると、例えば、高分子圧電フィルム９ｂの両面にＩＴＯ等の透明導電膜９ａ、９ｃが蒸着されたバイモルフ構造のフィルムが使用される。このようなバイモルフ構造のフィルムに電圧を印加するとフィルムに変位を生じることが知られている。このことを利用して、ＡＣ電流を与えるとそれに応じた振動を発生させることができる。
【００２１】
１０ａ、１０ｂは第２の薄膜振動板９１の各面に接着された電極板であり、ここに電気信号が供給される。第１の薄膜振動板９０にも同様な電極板が接着されているが、その図示は省略した。このように構成された第１および第２の薄膜振動板９０および９１はそれぞれスピーカとして機能する。したがって、以下ではこれらの薄膜振動板を「フィルムスピーカ」という。このフィルムスピーカ９０、９１を図示のように操作ユニット本体５の最前面に設けるようにすれば、この操作ユニット本体５の設置位置からしてフィルムスピーカ９０、９１と乗員との間を遮るものはなく、明瞭なサウンドを聴くことができる点で有利である。また、表示される画像と音源が一致するから、自然性が向上するという利点も生じることになる。
【００２２】
本実施形態における第１および第２のフィルムスピーカ９０および９１の再生可能周波数は可聴域と同等の２０〜２００００Ｈｚであるとする。もっとも、より高音質のサウンドを提供する観点から、これらのフィルムスピーカ９０、９１とは別に、リヤダッシュボードあるいはドアトリムといった場所に例えば中低域音用の通常のスピーカ（ウーファ）を設けてもよい。
【００２３】
なお、上記のとおり本実施形態では２枚のフィルムスピーカを画像表示面の上下方向に配置するようにしたが、本発明に係るフィルムスピーカは特定の枚数や特定の配置態様に限定されるものではない。例えば３枚を画像表示面の左右方向に配置するようにしてもよい。
【００２４】
以上のＬＣＤ７、タッチパネル８、フィルムスピーカ９０、９１はそれぞれ、ケース６によって一体的に支持される。なお、タッチパネル８とフィルムスピーカ９０および９１との位置関係は図示とは逆であってもよいが、本実施形態では、上記したとおり、より明瞭なサウンドを提供するという観点から、フィルムスピーカ９０および９１は操作ユニット本体５の最前面に配置される。そのため、操作者はこのフィルムスピーカ９０または９１越しにタッチパネル８の操作を行うことになる。
【００２５】
本実施形態ではさらに、第１のフィルムスピーカ９０の上端部付近において少なくとも１つの第１の近接センサ１１ａおよび、第２のフィルムスピーカ９１の下端部付近において少なくとも１つの第２の近接センサ１１ｂが、ケース６によって保持されている。これら第１および第２の近接センサ１１ａおよび１１ｂは例えば超音波センサであり、発信した超音波の反射波の到達時刻または振幅を検出するように構成されている。これは、操作者の指先が第１のフィルムスピーカ９０または第２のフィルムスピーカ９１にまさに接触せんとする状態を検出するためのもので、本実施形態では、この状態の検出をもって第１のフィルムスピーカ９０または第２のフィルムスピーカ９１への接触を検出したとみなすことにする。これにより、タッチパネル８が操作されることをいち早くかつ容易に検出することができる。
【００２６】
なお、タッチパネル８が操作されることをいち早く検出する手段はこれに限られるものではない。例えば、第１および第２のフィルムスピーカ９０および９１からの出力音を収集する収集手段としてのマイクロホンを第１および第２のフィルムスピーカ９０および９１それぞれの付近に設置し、これらのマイクロホンによって収集された音をモニタして、その音量が急激に小さくなる等の変化があったときにタッチパネルへの操作があったことを検出するようにしてもよい。
【００２７】
あるいは、第１および第２のフィルムスピーカ９０および９１それぞれの左右端部に一対の投光器および受光器を備え、投光器から受光器に向けて可視光を発信し、障害物としての操作者の指がその可視光を遮ったことをもってフィルムスピーカへの接触、すなわちタッチパネルの操作を検出するようにしてもよい。
【００２８】
図３は、本実施形態における操作ユニット全体の回路構成の一例を示す図である。２０は制御ユニットで、例えば、ナビゲーションユニット１からの画像データのＬＣＤ７への受渡し、タッチパネル８に対するタッチ位置の座標検出、第１および第２のフィルムスピーカ９０および９１からの音響出力の制御等の処理を統括的に実行する。４０ａ、４０ｂはそれぞれ、供給されたディジタル形式のオーディオデータをアナログ信号に変換する第１および第２のＤ／Ａコンバータ、４１ａ、４１ｂはそれぞれ、第１および第２のパワーアンプである。この構成により、第１および第２のフィルムスピーカ９０および９１からは同一の音響出力が実行可能であり、それぞれの音響出力を独立に制御することもできる。また、ナビゲーションユニット１、チューナ２、プレーヤ３のそれぞれは第３のパワーアンプ４２を介してウーファ４３にも接続されている。さらに、この制御ユニット２０には、空調装置を動作させる空調アクチュエータ４が接続されるほか、障害物検出センサ５０もオプションとして接続されている。障害物検出センサ５０は例えば超音波センサで構成される。
【００２９】
制御ユニット２０は、操作ユニット本体５の制御を司るＣＰＵ２１、主記憶装置として機能するＲＡＭ２２、各種プログラムやデータを記憶するＲＯＭ２３をはじめ、以下の構成を備える。
【００３０】
ＬＣＤコントローラ２４はＬＣＤ７への画像データ（例えばＲＧＢの色信号）の供給を制御する。タッチパネルコントローラ２５はタッチパネル８の駆動を制御するとともに、タッチパネル８におけるシート８ａと８ｂとの接触の検知に応じてタッチ検出イベントを割り込み要求としてＣＰＵ２１に発行する。近接センサコントローラ２６は例えば、超音波の発信動作を制御し、超音波の発信時刻と第１および第２の近接センサ１１ａおよび１１ｂより得られる反射波の到達時刻とに基づいて、操作者の指のタッチパネルへの近接を検出する処理を行い、その近接が検出された際には、その近接を検出した近接センサ（すなわち、第１の近接センサ１１ａあるいは第２の近接センサ１１ｂのいずれか）を特定する情報を含む近接検出イベントを割り込み要求としてＣＰＵ２１に発行する。２７ａおよび２７ｂはそれぞれ、第１および第２のＤ／Ａコンバータ４０ａおよび４０ｂを接続するためのインタフェース（Ｉ／Ｆ）、２８、２９はそれぞれ、空調アクチュエータ４、障害物検出センサ５０を接続するためのインタフェースである。また、３０は、ナビゲーションユニット１、チューナ２、あるいはプレーヤ３との間で画像データ、オーディオデータを含む制御データや、タッチパネル８の操作情報を通信するためのインタフェースである。
【００３１】
ＲＯＭ２３は、図示のように、操作部制御プログラム２３１および、危険監視プログラム２３２を記憶する。操作部制御プログラム２３１は、ＬＣＤ７の表示制御、タッチパネル８に対するタッチ位置の座標検出、空調アクチュエータ４の動作制御、第１および第２フィルムスピーカ９０および９１への音響出力の制御等、操作ユニット本体５の制御処理を実現する。また、危険監視プログラム２３３は、障害物検出センサ５０の検出結果に基づき危険の監視を行い、例えば、危険を検知したときに危険警告イベントを割り込み要求として発行することを実現する。これらのプログラムは電源投入時にＲＡＭ２２にロードされ、ＣＰＵ２１によって実行される。
【００３２】
図４は、本実施形態における操作ユニット本体５の画像表示面の一例を示す図である。同図中、４０１〜４０４は機能選択のためのハードスイッチで、これらのうちいずれかのスイッチを押下するとそれに応じた機能に基づく画像がＬＣＤ７によって表示されることになる。同図の例では、「ＮＡＶＩ」スイッチ４０１が押下されたことでナビゲーション機能が選択され、それに応じてナビゲーションユニット１から供給された画像が表示されている。ここで、４１１〜４１３が、ＬＣＤ７によって表示されたタッチパネル８の操作スイッチである。
【００３３】
さて、従来は、操作者がタッチパネルの操作スイッチをフィルムスピーカ越しに操作すると、フィルムスピーカの音響振動が操作者の指先によって止められ、または弱められ、車室内の音場が変化してしまい、同乗者に違和感を与えるという問題があったことは先述したとおりである。
【００３４】
これに対し、本実施形態では、同図に示すように、２枚のフィルムスピーカ９０および９１を上下に隣接させて配置したので、操作スイッチ４１１〜４１３が操作されたためにフィルムスピーカ９０の音響振動が止められあるいは弱められたとしても、他方のフィルムスピーカ９１の音響振動は影響を受けない。このため、フィルムスピーカによる音響出力が極端に減弱することはなく、車室内の音場を維持することが可能である。
【００３５】
もっとも、第１のフィルムスピーカ９０と第２のフィルムスピーカ９１との境界位置付近をタッチされ、これにより両方のフィルムスピーカの音響振動が同時に弱められる可能性は残っている。
【００３６】
しかし、本実施形態ではこのような課題に対しても対処がなされている。すなわち、同図の例では、操作スイッチ４１１〜４１３は第１のフィルムスピーカ９０が重なる位置側にのみ設けられており、第２のフィルムスピーカ９１が重なる位置側には操作スイッチが設けられていない。このように、いずれか１つのフィルムスピーカ（フィルムスピーカ９０）が重なる領域内においてのみ操作スイッチ４１１〜４１３が形成されるようにしたので、操作スイッチ４１１〜４１３の操作時に両方のフィルムスピーカ９０、９１に同時に触れてしまうことを極小化でき、音場の維持という本発明の目的をより確実に達成することができる。
【００３７】
さらに、第１のフィルムスピーカ９０と第２のフィルムスピーカ９１との境界位置からなるべく離れた位置に操作スイッチが形成されるとより好ましい。
【００３８】
なお、一方のフィルムスピーカ（例えば第２のフィルムスピーカ９１）が重なる領域内に操作スイッチが形成されることを一切禁止するのではなく、他方のフィルムスピーカ（例えば第１のフィルムスピーカ９０）に重なる領域内に形成された操作スイッチとは異なる機能の操作スイッチが形成されることを許容してもよい。例えば、図５に示すように、第１のフィルムスピーカ９０が重なる領域内に形成されている操作スイッチ４１１〜４１３はナビゲーション機能に関するものである一方、第２のフィルムスピーカ９１が重なる領域内に形成されている操作スイッチ４１５，４１６は空調装置（エアコン）の温度設定機能に関するものである。このような操作スイッチの配置態様であれば、操作スイッチの操作時に複数のフィルムスピーカが同時に触れられてしまう心配はほとんどなく、音場の維持という本発明の目的をより確実に達成することができる。
【００３９】
また、操作スイッチの操作時に複数のフィルムスピーカに同時に触れてしまうことを防止するという目的は、図７に示すように、第１のフィルムスピーカ９１と第２のフィルムスピーカ９２とを、指先で同時に触れることのできない合理的な距離ｄ（例えば、２ｃｍ）だけ離して設けることによっても達成が可能である。
【００４０】
以下、操作部制御プログラム２３１の実行によって実現される処理について説明する。
【００４１】
図７は、操作部制御プログラム２３１によるメイン処理を示すフローチャートである。まずステップＳ１において、ナビゲーションユニット１、チューナ２、プレーヤ３のうち選択された機器からの制御データの受信を待機する。ナビゲーションユニット１からの制御データは例えば、表示すべき画像データおよびタッチパネルスイッチを設ける位置の情報（スイッチ位置情報）を含む。ナビゲーションユニット１からは、操作がなされたときはもちろん、車両走行中には、更新された制御データが刻々と送られてくることになる。また、チューナ２あるいはプレーヤ３からの制御データは、出力用の音響データを含む。
【００４２】
制御データを受信した時は、ステップＳ２で、制御データに含まれる画像データをＬＣＤコントローラ２４に渡しＬＣＤ７に表示させる。あるいは、制御データに含まれる音響データをＩ／Ｆ２７に出力してＤ／Ａコンバータ４０、第１のパワーアンプ４１を介してフィルムスピーカ９に出力させる。また、ナビゲーションユニット１からの制御データに対しては、ステップＳ３で、受信した制御データに含まれるスイッチ位置情報をＲＡＭ２２に記憶し、その後ステップＳ１に戻って次の制御データの受信を待機する。
【００４３】
ＣＰＵ２１はこのようなメイン処理中に、上記したようなタッチパネルコントローラ２４から発行されたタッチ検出イベント、近接センサコントローラ２６から発行された近接検出イベント、あるいは危険監視プログラムの実行中に発行された危険警告イベントを受信すると、そのイベントに応じた割り込み処理を実行する用意がある。
【００４４】
例えば、近接検出イベントを受けた時の割り込み処理として、図８のフローチャートに示すような処理を行うことが好ましい。上記したとおり、本実施形態における近接検出イベントは、近接センサコントローラ２６により、操作者の指のタッチパネルへの近接が検出されたときに発行されるもので、その近接を検出した近接センサ（すなわち、第１の近接センサ１１ａあるいは第２の近接センサ１１ｂのいずれか）を特定する情報を含んでいる。そして、このイベントを受信したことによりフィルムスピーカへの接触ならびにタッチパネル８またはその操作スイッチへの接触が検出されたとみなされる。
【００４５】
まずステップＳ１１で、タッチされたフィルムスピーカを特定する。これは例えば、受信した近接検出イベントに含まれるその近接を検出した近接センサ（すなわち、第１の近接センサ１１ａあるいは第２の近接センサ１１ｂのいずれか）を特定する情報を用いて特定することができる。具体的には、その近接を検出した近接センサが第１の近接センサ１１ａであった場合には、タッチされたフィルムスピーカは第１のフィルムスピーカ９０と判断し、その近接を検出した近接センサが第２の近接センサ１１ｂであった場合には、タッチされたフィルムスピーカは第２のフィルムスピーカ９１と判断する。
【００４６】
次にステップＳ１２で、ステップＳ１１で特定されたタッチされたフィルムスピーカの音響出力を一定時間停止する。タッチされたフィルムスピーカからの音響出力はその周波数が変化されることになって音場の乱れを招いていたところ、このステップＳ１２の処理によって、そのような問題を回避することができる。
【００４７】
続いてステップＳ１３で、ステップＳ１１で特定されたタッチされたフィルムスピーカ以外のフィルムスピーカの音響出力を一定時間増大させる。これにより、フィルムスピーカへのタッチによってそのフィルムスピーカの音響振動が止められてしまった場合でも、全体的な音量を補償することができる。その後、この割り込み処理を抜けメイン処理に戻る。
【００４８】
なお、上記の例ではステップＳ１２およびステップＳ１３の処理を両方とも実行するようにしたが、ステップＳ１２またはステップＳ１３のいずれかの処理だけを実行するようにしてもよい。
【００４９】
上記の制御処理は、近接検出イベントによる割り込み処理として説明したが、このような制御処理はタッチパネルコントローラ２４から発行されたタッチ検出イベントによる割り込み処理としてもよい。この場合には、図９に示すように、まずステップＳ１０としてタッチ位置の座標検出処理を行い（抵抗膜方式のタッチパネルにおける座標検出処理そのものは公知の技術であるので、その詳細な説明は省略する。）、ステップＳ１１では、その検出された座標値に基づいてタッチされたフィルムスピーカを特定することになる。
【図面の簡単な説明】
【００５０】
【図１】本発明の実施形態に係る操作ユニット本体の取り付け状態の一例を示す図である。
【図２】本発明の実施形態における操作ユニット本体の構造例を示す断面図である。
【図３】本発明の実施形態における操作ユニット全体の回路構成の一例を示す図である。
【図４】、
【図５】、
【図６】本発明の実施形態におけるフィルムスピーカおよびタッチパネルの操作スイッチの配置例を示す図である。
【図７】本発明の実施形態における操作部制御プログラムによるメイン処理を示すフローチャートである。
【図８】本発明の実施形態における操作部制御プログラムによる近接検出イベントを受けた時の割り込み処理を示すフローチャートである。
【図９】図７の近接検出イベントを受けた時の割り込み処理の代替処理例としてのタッチ検出イベントを受けた時の割り込み処理を示すフローチャートである。
【図１】
2006013779.tif 000003
【図２】
2006013779.tif 000004
【図３】
2006013779.tif 000005
【図４】
2006013779.tif 000006
【図５】
2006013779.tif 000007
【図６】
2006013779.tif 000008
【図７】
2006013779.tif 000009
【図８】
2006013779.tif 000010
【図９】
2006013779.tif 000011